(57)【要約】【課題】脚体に対して踏み板を作業姿勢に保持するための連結体を簡単な構造とし、十分な強度を確保しながらも、この連結体が作業台の折り畳みを邪魔することなく、折り畳み動作に追従できるようにした作業台を提供する。【解決手段】枢支連結された一対の踏み板２にそれぞれ脚体３を枢支連結し、両脚体３を立設して一対の踏み板２を略水平とする作業姿勢のときに各踏み板２と相手側に連結した脚体３とを斜め配置の連結体１２で連結しており、各連結体１２の踏み板側連結点Ａは、前記作業姿勢から一対の踏み板２を逆Ｖ字状に屈曲して両脚体３を近づける折り畳み姿勢に移行する間に、各連結体１２の脚体側連結点Ｂからの距離が一定になる位置に設定している。【選択図】    図１
2004270233.tif 000002
【特許請求の範囲】
【請求項１】
枢支連結された一対の踏み板（２）にそれぞれ脚体（３）を枢支連結し、両脚体（３）を立設して一対の踏み板（２）を略水平とする作業姿勢のときに各踏み板（２）と相手側に連結した脚体（３）とを斜め配置の連結体（１２）で連結しており、各連結体（１２）の踏み板側連結点（Ａ）は、前記作業姿勢から一対の踏み板（２）を逆Ｖ字状に屈曲して両脚体（３）を近づける折り畳み姿勢に移行する間に、各連結体（１２）の脚体側連結点（Ｂ）からの距離が一定になる位置に設定していることを特徴とする作業台。
【請求項２】
前記各踏み板（２）の幅方向に前記連結体（１２）が複数設けられていることを特徴とする請求項１に記載の作業台。
【請求項３】
前記連結体（１２）がパイプ材または丸棒で形成されていることを特徴とする請求項１または２に記載の作業台。
【請求項４】
前記各踏み板（２）の相互対向面側にクッション材（１５）が設けられていることを特徴とする請求項１から３のいずれかに記載の作業台。
【発明の詳細な説明】
【０００１】
【発明の属する技術分野】
本発明は、折り畳みできる作業台に関する。
【０００２】
【従来の技術】
従来の作業台としては、例えば、特許文献１に示されるように、前後一対の脚の上端部に回動可能に支持された逆Ｖ字状に二つ折り可能な天板と、折り畳みを可能とする前後脚連結手段を備え、この前後連結手段が前後脚間にＸ字状に渡された一対の斜め配置の連結体を有するものがある。
そして、この連結体が、作業台の折り畳みを邪魔することなく、折り畳み動作に追従できるように、「Ｖ字状に二つ折り可能に連結された長尺部と短尺部よりなる」構成等を採用している。
【０００３】
【特許文献１】
特開２００２−１８８２８５号公報
【０００４】
【発明が解決しようとする課題】
しかし、このような従来の作業台では、例えば、連結体が長尺部と短尺部の複数の部分・部材で構成されていたため、部品数が多く構造が複雑となって、組み立て作業の長期化を招来し、また連結体の強度の低下を招いていた。
そこで、本発明は、脚体に対して踏み板を作業姿勢に保持するための連結体を簡単な構造とし、十分な強度を確保しながらも、この連結体が作業台の折り畳みを邪魔することなく、折り畳み動作に追従できるようにした作業台を提供することを目的とする。
【０００５】
【課題を解決するための手段】
本発明は、上記課題を解決するために以下の技術的手段を講じた。
すなわち、第１に、枢支連結された一対の踏み板２にそれぞれ脚体３を枢支連結し、両脚体３を立設して一対の踏み板２を略水平とする作業姿勢のときに各踏み板２と相手側に連結した脚体３とを斜め配置の連結体１２で連結しており、各連結体１２の踏み板側連結点Ａは、前記作業姿勢から一対の踏み板２を逆Ｖ字状に屈曲して両脚体３を近づける折り畳み姿勢に移行する間に、各連結体１２の脚体側連結点Ｂからの距離が一定になる位置に設定していることである。
【０００６】
これによれば、連結体１２は、脚体３に対して踏み板２を作業姿勢に保持でき、かつ作業姿勢から折り畳み姿勢への移行する間の脚体３および踏み板２の動きを妨害することなく移動できる。
第２に、前記各踏み板２の幅方向に前記連結体１２が複数設けられていることである。
これによれば、連結体１２による踏み板２と脚体３の連結を強固なものとすることができ、作業時の作業台の十分な安定性を確保できることとなる。
【０００７】
第３に、前記連結体１２がパイプ材または丸棒で形成されていることである。
これによれば、連結体１２の加工が容易にでき組み立て作業も容易となる。
第４に、前記各踏み板２の相互対向面側にクッション材１５が設けられていることである。
これによれば、作業台を折り畳むときに、クッション部材が踏み板２を上方に押し上げるように作用して、折り畳み動作が容易になる。
【０００８】
【発明の実施の形態】
以下、図面を参照して本発明の実施の形態を説明する。
図１乃至図９は本発明の第１実施形態を示している。
本発明に係る作業台１は、作業者の作業足場となる一対の踏み板２と、踏み板２に連結されていて互いに対向して設けられた一対の脚体３と、踏み板２と脚体３とを連結する一対の斜めの連結体１２とを有している。
以下、脚体３の対向方向を左右方向といい、図１においてこの左右方向に直交する紙面貫通方向を前後方向、または踏み板２の幅方向という。
【０００９】
各踏み板２は、平面視四角形状とされ、その周側縁に下方に突出する側壁４が形成されている。この踏み板２の背面側（下面側）には、下方に突出する長尺状の板状リブ５が左右方向に沿って設けられている。この板状リブ５は、踏み板２背面側で前後方向に複数設けられている。
各踏み板２は、左右方向で所定間隔離間されており、対向する一端部同士が対の連結部材（以下、第１連結部材６という）および枢支ピンを介して互いに枢支連結されており、各踏み板２の他端部が脚体３の上端に固定の連結部材（以下、第２連結部材７という）および枢支ピンを介して枢支連結されている。前記各第２連結部材７は、板材で構成されていて、各支柱８の上端部の前後方向外面に設けられており、図１に示すように、左右方向内方に突出した突出部７ａを有している。したがって、一方の支柱８に設けられた第２連結部７の突出部７ａと、該突出部７ａと左右方向で対向する支柱８に設けられた突出部７ａとは、左右方向で対向することとなり、作業台を折り畳んだときに、互いに対向する突出部７ａ同士が当接して各脚体３を適正な位置に係止できるようになっている。
【００１０】
各脚体３は、前後方向で離間された一対の支柱８とこの支柱８間を連結する踏桟９ａ（図例では踏桟９ａは３段である）と、脚体の上端部間を連結する踏み板受け桟９ｂで構成される。このうち、最下段の踏桟９ａの長手方向中途部と、該踏桟９ａよりも下側の脚体３の支柱８の中途部とには、補強部材１０が斜めに設けられている。また、最下段の踏桟９ａが設けられている位置の支柱８内側部には、ストッパ１１が設けられており、作業台１を折り畳んだときに、ストッパ１１同士が当接して、脚体３と踏み板２が略直線状となるように係止するようになっている。このストッパ１１は、一方の脚体３の前側の支柱８と、他方の脚体３の後側の支柱８とに１個ずつ設け、各ストッパ１１を、左右方向で対向する各支柱８の左右方向内側の側面と当接させる構成としてもよい。
【００１１】
各踏み板２と相手側（一方の踏み板２に対して他方の踏み板側）に連結した脚体３とは、両脚体３を立設して踏み板２が略水平状態となった作業姿勢（図１〜３に示す作業者が搭上可能な姿勢）のときに斜め配置となる連結体１２で連結されている。前記連結体１２は、長尺状の断面コ字状の型鋼材（チャンネル）で構成されている。この連結体１２は、パイプ材、棒材または帯板で形成するようにしてもよい。この連結体１２の長手方向一端部は、踏み板２の下面側に設けられた踏み板側ブラケット１４に枢支ピンを介して枢支連結されており、この枢支ピンが踏み板側連結点Ａを構成している。連結体１２の他端部は、脚体３の上段の踏桟９ａの長手方向中途部に設けられた脚体側ブラケット１３に枢支ピンを介して枢支連結されており、この枢支ピンが、脚体側連結点Ｂを構成している。
【００１２】
脚体側連結点Ｂは、作業姿勢において、踏み板の上下幅よりも下方に突出するように設定されている。この構成により、折り畳み姿勢において、連結体１２が踏み板背面側のリブ５に当接して折り畳み動作を妨害することなく、脚体３同士間で略垂直状態になるように移動できるようになる。したがって、折り畳み姿勢では、連結体１２は、踏み板２、脚体３と略平行となって、脚体３間に位置することとなる。
連結体１２の踏み板側連結点Ａは、左右方向において、一方の脚体３と踏み板２の枢支連結点（以下、第１連結点Ｃという）と踏み板２同士の連結点（以下、第２連結点Ｄという）との間に位置設定されている。
【００１３】
また、折り畳み姿勢では、上から、第２連結点Ｄ、連結体１２の踏み板側連結点Ａ、第１連結点Ｃ、連結体１２の脚体側連結点Ｂの順に、略垂直方向に直線状に配列されることとなる。
図８、図９に示すように、作業台１は、１対の踏み板２が略水平となりかつ１対の脚体３が末広がり状に立設した作業姿勢から脚体３同士を近づけて、踏み板２が逆Ｖ字状に屈曲されて折り畳まれる折り畳み姿勢に姿勢変更される。作業台１を折り畳むときには、図９に示すように、一方の脚体３を持ち上げて他方の脚体３に近づけるように押動してもよいし、または、各脚体３が接地したままで、脚体３同士を近づけるように押動してもよい。
【００１４】
作業姿勢から折り畳み姿勢に姿勢変更するために脚体３同士を近づけるように押動すると、第２連結点Ｄを基準としてみた場合には、踏み板２は、第１連結点Ｃが第２連結点Ｄを中心に、下方揺動し、それに伴って脚体３が踏み板２にたいして揺動する。一方の脚体３に連結された連結体１２の脚体側連結点Ｂは、踏み板側連結点Ａを中心とした円弧を描くように移動しようとするが、該踏み板側連結点Ａも、第２連結点Ｄを中心とした円弧を描くように移動する。
折り畳み姿勢において、一方の脚体３と連結された踏み板２とが略直線状となったときに、連結体１２が、図４、図７に示すような略垂直状態となるためには、一方の脚体３に連結された連結体１２の脚体側連結点Ｂから、前記脚体３に連結された踏み板２の第１連結点Ｃまでの距離と、この第１連結点Ｃから第２連結点Ｄまでの距離との和と、前記連結体１２の脚体側連結点Ｂから踏み板側連結点Ａまでの距離と、この踏み板側連結点Ａから第２連結点Ｄまでの距離の和が等しくなるように設定されている。
【００１５】
すなわち、連結体１２の踏み板側連結点Ａから脚体側連結点Ｂまでの距離をａ、一方の脚体３に連結された連結体１２の脚体側連結点Ｂから前記脚体３の第１連結点Ｃまでの距離をｂ、第１連結点Ｃから第２連結点Ｄまでの距離をｃ、第２連結点Ｄから前記脚体３に連結された連結体１２の踏み板側連結点Ａまでの距離をｄとしたとき、ａ＞ｂ、ａ＜ｂ＋ｃ＋ｄ、ａ＞ｃ＋ｄ、ａ≒ｂ＋ｃ−ｄ、ｄ＜ｃの関係にある。
このようにすることで、各連結体１２の踏み板側連結点Ａは、前記作業姿勢から一対の踏み板２を逆Ｖ字状に屈曲して両脚体３を近づける折り畳み姿勢（図４、５に示す持ち運び及び保管容易な姿勢）に移行する間に、各連結体１２の脚体側連結点Ｂからの距離が一定になる位置に設定されている。これにより、連結体１２は、複数の部材で構成することなく、簡単な構造の１本部材で十分な強度を確保しながら、かつ作業姿勢から折り畳み姿勢への移行する間の脚体３および踏み板２の動きを妨害することなく移動するように配置できることとなる。
【００１６】
踏み板２同士間には、各踏み板２の相互対向面側、すなわち、踏み板同士の連結部で対向する側壁４外面にクッション材１５が設けられている。このクッション材１５は、例えばゴム等の弾性体が用いられ、作業姿勢において対向する踏み板２同士の各側壁４に設けられている。作業姿勢では、各踏み板２に設けられたクッション材１５同士が接触して、各クッション材１５に左右方向の弾性力が作用しており、これによって、第２連結点Ｄには、踏み板２を上方に押し上げる力が発生している。したがって、このようにクッション材１５を設けることにより、作業台１を折り畳むときに、前記第２連結点Ｄに作用する力によって、踏み板２が逆Ｖ字状に折曲しやすくなり、折り畳み動作を容易かつスムーズに行うことができるようになる。また、作業姿勢においては、クッション部材１５同士が接触していることから、踏み板２同士間の間隙をこれらクッション部材１５で閉塞して、作業時にこの間隙から工具、部品等が落ちるということも防止でき、この点で有利である。
【００１７】
上記の作業台１の構成によれば、連結体１２は、脚体３と踏み板２間に連結されていることから、脚体３同士を近づけて作業台１を折り畳むときには、連結体１２は、脚体側連結点Ｂを基点として、対応する踏み板２を上方に押し上げるように回動することにもなる。したがって、この連結体１２は、折り畳み動作において、踏み板２が逆Ｖ字状に折曲しやすくなるように踏み板２を上方に押し上げる押し上げ手段として機能することとなる。このような連結体１２を設けたことにより、作業台１は、折り畳み動作を脚体３同士を近づけるように押動させるという一の動作（ワンアクション）で作業台１の折り畳みができ、この点で便利なものとなっている。
【００１８】
図１０および図１１の第２実施形態では、一方の踏み板２と対応する脚体３と間には、踏み板２の幅方向に２本の連結体１２が設けられ、他方の踏み板２とこれに対応する脚体３との間には１本の連結体１２が設けられている。一方または両方の踏み板２に幅方向複数の連結体１２を設けることによって、作業台１は、より安定した作業姿勢を確保することができることとなる。
図１２乃至図１５の第３実施形態では、踏み板２の第１連結部材６の形状が第１実施形態の場合と異なり、この第１連結部材６は、踏み板２同士間に位置する円形部を有しこの円形部の中心に枢軸を設けて踏み板２同士を枢支連結している。
【００１９】
図１６乃至図１９の第４実施形態では、連結体１２に丸棒材を用いており、この連結体１２は踏み板２の前後の側壁４および脚体３の各支柱８の前後外側面と連結されている。連結体１２は、図１７に示すように、その両端部がＬ字状に屈曲されており、この屈曲された部分１７が、踏み板２、脚体３と連結されて枢軸となり、それぞれ踏み板側連結点Ａおよび脚体側連結点Ｂを構成している。前記前後の側壁４、脚体３の各支柱の前後外側面には、丸棒状の連結体１２の各屈曲部１７を挿通するための挿通孔が形成されており、連結体１２の各屈曲部１７先端は、この挿通孔に挿通されて枢支連結されている。このような構成から、第１実施形態のような脚体側ブラケット１３および踏み板側ブラケット１４を省略することができ、部品数をより少なくして作業台を製作することが可能となる。
【００２０】
図２０乃至図２３の第５実施形態では、連結体１２に丸棒材を用いており、この連結体１２の一端部は、各踏み板２の背面側に形成されたリブ５に、踏み板側連結点Ａを形成する枢支ピンを介して枢支連結されている。連結体１２の他端部は、最上段の踏桟９ａの下面側で下方に突出して設けられた脚体側ブラケット１３に係合するようにＬ字状に折曲され、枢支ピンを介して枢支連結されている。したがって、連結体１２の踏み板側連結点Ａは、踏み板２の上下幅内に位置することとなる。このため、連結体１２には、折り畳み姿勢において、踏み板２と脚体３とが略直線状となったときに、踏み板２の端部と干渉することのないように、その長手方向中途部に屈曲部１７が設けられている。連結体１２は、各踏み板２とこれらに対応する各脚体３に１本ずつ計２本設けられている。
【００２１】
図２４、図２５の第６実施形態では、連結体１２に第５実施形態と同様のものを用いている。各踏み板２とこれらに連結される各脚体３には、その幅方向に、２本ずつ計４本の連結体１２が設けられている。このように、連結体１２を踏み板２の幅方向に複数設けることによって、作業台１は、より安定した作業姿勢を確保することができることとなる。
上記第２乃至第６実施形態に記載されている事項以外は第１実施形態と同様の構成であり、第１実施形態と同様の作用効果を奏する。
【００２２】
【発明の効果】
本発明によれば、脚体に対して踏み板を作業姿勢に保持するための連結体を簡単な構造とし、十分な強度を確保しながらも、この連結体が作業台の折り畳みを邪魔することなく、折り畳み動作に追従できる。
【図面の簡単な説明】
【図１】本発明の第１実施形態を示す作業台の正面図である。
【図２】同平面図である。
【図３】同側面図である。
【図４】同折り畳み時の正面図である。
【図５】同折り畳み時の側面図である。
【図６】同正面拡大図である。
【図７】同折り畳み時の側面拡大図である。
【図８】同作業姿勢と折り畳み姿勢を示す正面図である。
【図９】同作業姿勢から折り畳み姿勢への変化を示す図である。
【図１０】本発明の第２実施形態を示す作業台の平面図である。
【図１１】同側面図である。
【図１２】本発明の第３実施形態を示す作業台の正面図である。
【図１３】同正面図である。
【図１４】同平面図である。
【図１５】同側面図である。
【図１６】本発明の第４実施形態を示す作業台の正面図である。
【図１７】同平面図である。
【図１８】同側面図である。
【図１９】同折り畳み時の正面図である。
【図２０】本発明の第５実施形態を示す作業台の正面図である。
【図２１】同平面図である。
【図２２】同側面図である。
【図２３】同折り畳み時の正面図である。
【図２４】本発明の第６実施形態を示す作業台の平面図である。
【図２５】同側面図である。
【符号の説明】
１    作業台
２    踏み板
３    脚体
１２  連結体
Ａ    踏み板側連結点
Ｂ    脚体側連結点
【図１】
2004270233.tif 000003
【図２】
2004270233.tif 000004
【図３】
2004270233.tif 000005
【図４】
2004270233.tif 000006
【図５】
2004270233.tif 000007
【図６】
2004270233.tif 000008
【図７】
2004270233.tif 000009
【図８】
2004270233.tif 000010
【図９】
2004270233.tif 000011
【図１０】
2004270233.tif 000012
【図１１】
2004270233.tif 000013
【図１２】
2004270233.tif 000014
【図１３】
2004270233.tif 000015
【図１４】
2004270233.tif 000016
【図１５】
2004270233.tif 000017
【図１６】
2004270233.tif 000018
【図１７】
2004270233.tif 000019
【図１８】
2004270233.tif 000020
【図１９】
2004270233.tif 000021
【図２０】
2004270233.tif 000022
【図２１】
2004270233.tif 000023
【図２２】
2004270233.tif 000024
【図２３】
2004270233.tif 000025
【図２４】
2004270233.tif 000026
【図２５】
2004270233.tif 000027